(57)【要約】 【課題】  液浸透式のスタンプをコンパクトに収容して携帯することができ、構造が簡単で安価な薄型の携帯用容器を提供する。【解決手段】  容器本体１にヒンジ機構２を介して蓋体３を開閉可能に設けた薄型の携帯用容器であって、前記容器本体１に液浸透式の印面部材４を収容してあると共に、前記容器本体１の裏面にクリップ５を着脱可能に設けた携帯用容器。【選択図】    図１
2006007679.tif 000002
【特許請求の範囲】
【請求項１】
容器本体にヒンジ機構を介して蓋体を開閉可能に設けた薄型の携帯用容器であって、前記容器本体に液浸透式の印面部材を収容してあると共に、前記容器本体の裏面にクリップを着脱可能に設けた携帯用容器。
【請求項２】
前記クリップを異なる方向に選択して装着可能にした請求項１に記載の携帯用容器。
【請求項３】
前記容器本体に前記印面部材を着脱可能に設けた請求項１又は２に記載の携帯用容器。
【請求項４】
前記印面部材が二次元バーコード用印面部材である請求項１乃至３のいずれかに記載の携帯用容器。
【請求項５】
前記蓋体の表面に透明なカバー体を着脱可能に設けた請求項１乃至４のいずれかに記載の携帯用容器。
【請求項６】
前記蓋体の表面に鏡を設けた請求項１乃至４のいずれかに記載の携帯用容器。
【請求項７】
前記クリップの上部にストラップ取付用孔を設けた請求項１乃至６のいずれかに記載の携帯用容器。
【発明の詳細な説明】
【技術分野】
【０００１】
本発明は、液浸透式のスタンプをコンパクトに収容して携帯することができる薄型の携帯用容器に関する。
【背景技術】
【０００２】
従来、液浸透式のスタンプを収容して携帯することができる容器としては、筒状のケース本体の先端部にスタンプを収容し、このケース本体にクリップを設けたペン型の容器が広く知られている。
また、液浸透式のスタンプを回動可能にカバー胴体に設け、未使用時にはこのスタンプをカバー胴体の収容口に収容し、使用時にはこのスタンプを回動させて収容口から出して押印することができるようにしたペン型の容器も知られている（例えば、特許文献１参照）。
【特許文献１】特開２００２−２０７７号公報
【発明の開示】
【発明が解決しようとする課題】
【０００３】
しかし、従来のペン型容器は、印面の広いスタンプを収容する場合には、ケース本体の断面形状もスタンプに合わせて大きくなり、コンパクトにスタンプを収容することができないという問題があった。一方、特許文献１に記載のペン型容器は、比較的印面の広いスタンプもコンパクトに収容することができるが、スタンプを回動させるための回動機構が必要であり構造が複雑になる他、スタンプの印面形状が正方形又は正方形に近い矩形の場合にはカバー胴体の断面形状を小さくすることが困難であるという課題があった。
【０００４】
そこで、本発明は、液浸透式のスタンプをコンパクトに収容して携帯することができ、構造が簡単で安価な薄型の携帯用容器を提供するものである。
【課題を解決するための手段】
【０００５】
本発明は、上記課題を解決するために、容器本体にヒンジ機構を介して蓋体を開閉可能に設けた薄型の携帯用容器であって、前記容器本体に液浸透式の印面部材を収容してあると共に、前記容器本体の裏面にクリップを着脱可能に設けた携帯用容器を提供するものである。
【０００６】
また、本発明は、前記クリップを異なる方向に選択して装着可能にした請求項１に記載の携帯用容器を提供するものである。
【０００７】
また、本発明は、前記容器本体に前記印面部材を着脱可能に設けた請求項１又は２に記載の携帯用容器を提供するものである。
【０００８】
また、本発明は、前記印面部材が二次元バーコード用印面部材である請求項１乃至３のいずれかに記載の携帯用容器を提供するものである。
【０００９】
また、本発明は、前記蓋体の表面に透明なカバー体を着脱可能に設けた請求項１乃至４のいずれかに記載の携帯用容器を提供するものである。
【００１０】
また、本発明は、前記蓋体の表面に鏡を設けた請求項１乃至４のいずれかに記載の携帯用容器を提供するものである。
【００１１】
また、本発明は、前記クリップの上部にストラップ取付用孔を設けた請求項１乃至６のいずれかに記載の携帯用容器を提供するものである。
【発明の効果】
【００１２】
本発明に係る携帯用容器によれば、容器本体にヒンジ機構を介して蓋体を開閉可能に設けた薄型の携帯用容器であって、前記容器本体に液浸透式の印面部材を収容してあると共に、前記容器本体の裏面にクリップを着脱可能に設けた構成を有することにより、広い印面を有する印面部材も薄型携帯用容器にコンパクトに収容することができると共に、携帯用容器の構造を簡単にすることができる。また、クリップを介して容器本体を衣服のポケット等に装着して携帯することができると共に、容器本体からクリップを取り外すことにより輸送や保管時に薄型携帯用容器の厚さのみにすることができる効果がある。
【００１３】
また、本発明は、前記クリップを異なる方向に選択して装着可能にした請求項１に記載の構成を有することにより、衣服のポケット等に装着する容器本体の向きを変えたり、容器本体に収容した印面部材の文字や模様の向きに合わせてクリップの向きを選択したりして、容器本体に対するクリップの方向を適宜選択することができる効果がある。
【００１４】
また、本発明は、前記容器本体に前記印面部材を着脱可能に設けた請求項１又は２に記載の構成を有することにより、容器本体に印影の異なる印面部材を取り替えて収容することができるのみならず、印面部材を容器本体から取り外して他の小物を収容することもできる効果がある。
【００１５】
また、本発明は、前記印面部材が二次元バーコード用印面部材である請求項１乃至３のいずれかに記載の構成を有することにより、正方形の印面を有する二次元バーコード用印面部材をコンパクトに収容して携帯することができ、二次元バーコードを押印するという簡単な手段によって二次元バーコードに含まれる情報を伝達することができる効果がある。
【００１６】
また、本発明は、前記蓋体の表面に透明なカバー体を着脱可能に設けた請求項１乃至４のいずれかに記載の構成を有することにより、写真やメモやシール等の表示物を蓋体の表面に視認可能に設けることができると共に、カバー体によって保護することができる効果がある。
【００１７】
また、本発明は、前記蓋体の表面に鏡を設けた請求項１乃至４のいずれかに記載の構成を有することにより、鏡も一緒に携帯することができる効果がある。
【００１８】
また、本発明は、前記クリップの上部にストラップ取付用孔を設けた請求項１乃至６のいずれかに記載の構成を有することにより、クリップにストラップを取り付けて容器を携帯することができる効果がある。
【発明を実施するための最良の形態】
【００１９】
本発明の実施の形態を図１乃至図７に示す実施例に基づいて説明する。
本発明に係る携帯用容器は、容器本体１にヒンジ機構２を介して蓋体３を開閉可能に設けた薄型の携帯用容器であって、前記容器本体１に液浸透式の印面部材４を収容してあると共に、前記容器本体１の裏面にクリップ５を着脱可能に設けてある。
【実施例１】
【００２０】
図２に示すように、容器本体１は、ポリプロピレン又はポリエチレン等の合成樹脂からなり、ヒンジ機構２及び蓋体３と共に一体成形してある。ヒンジ機構２は、容器本体１と蓋体３を連結する薄肉部からなり、蓋体３を容器本体１に開閉自在に連結してある。また、容器本体１に設けた突起１ａと、蓋体３に設けたフック３ｂを係合して閉蓋状態を維持することができるようにしてある。
なお、ヒンジ機構は図示の実施例に限定されず、ヒンジ軸と軸受とからなる構成にすることも可能である。
【００２１】
図１に示すように、蓋体３の表面には長方形状の凹部３ａを設けてあり、この凹部３ａに透明なアクリルシートからなるカバー体６を嵌入してある。また、カバー体６の一端部には、カバー体６を凹部３ａから取り外すための切欠部６ａを設けてあり、カバー体６を凹部３ａに着脱可能にしてある。この凹部３ａとカバー体６の間に、例えば、印面部材４の印影を表示した表示物を挟んでおくと、蓋体３を開くことなく容器本体１に収容した印面部材４の印影を確認することができる。
なお、蓋体３の凹部３ａには、カバー体６に代えて鏡を設けることもできる。
【００２２】
図４及び図５に示すように、クリップ５は、ポリプロピレン又はポリエチレン等の合成樹脂の一体成形品からなり、台座５ａと、台座５ａに連設したクリップ片５ｂと、台座５ａの両側部に設けたフランジ５ｃとから構成してある。フランジ５ｃの下端近傍には、それぞれ切欠部５ｄを設けてある。また、台座５ａとクリップ片５ｂの連結部には、ストラップ８を取り付けるためのストラップ取付用孔５ｅを設けてある。
【００２３】
容器本体１の背面には、上部に左右一対の留め突起１０ａと、下部に左右一対の押え突起１０ｂとストッパー１０ｃを設けてある。図４において、左側の留め突起１０ａは、角孔１６の上側と左側に連なるＬ字状の壁体１０１を立設し、該壁体１０１の上部に角孔１６を覆うようにフランジ押え部１０２を形成してある。右側の留め突起１０ａは、左側の留め突起１０ａと対称に設けてあり、一対の留め突起１０ａのフランジ押え部１０２にフランジ５ｃを挿入したときに、Ｌ字状の壁体がクリップ５の横方向と上方向の位置決めをすることができるようにしてある。
【００２４】
また、図４において、左側の押え突起１０ｂは、角孔１７の左側に壁体１０３を立設し、該壁体１０３の上部に角孔１７を覆うようにフランジ押え部１０４を形成してある。右側の押え突起１０ｂは、左側の押え突起１０ｂと対称に設けてあり、一対の押え突起１０ｂのフランジ押え部１０４にフランジ５ｃを挿入したときに、壁体がクリップ５の横方向の位置決めをすることができるようにしてある。なお、角孔１６，１７は、フランジ押え部１０２，１０４を形成するために設けている。
また、ストッパー１０ｃは、左右の押え突起１０ｂの中間の下側に設けてあり、クリップ５を容器本体１に装着したときに、台座５ａの下端を位置決めすることができるようにしてある。
【００２５】
クリップ５を容器本体１に縦方向に装着するときは、図６に示すように、フランジ５ｃの切欠部５ｄを押え突起１１ｂに位置合せして台座５ａを容器本体１に押し当て、台座５ａの下端がストッパー１０ｃの上側に位置するまで押し上げることにより、クリップ５を容器本体１に装着することができる。
【００２６】
また、容器本体１の背面には、図７に示すように、クリップ５を横方向に装着することができるように、上記留め突起１０ａと押え突起１０ｂとストッパー１０ｃを左方向に９０度回転させた一対の留め突起１１ａと一対の押え突起１１ｂとストッパー１１ｃを設けてあり、クリップ５を異なる２方向に選択して装着可能にしてある。
【００２７】
なお、クリップ５の装着手段は、図示の実施例に限定されるものではなく他の手段によることも勿論可能である。例えば、クリップ５の台座５ａには少なくとも一端開放の取付溝を形成し、容器本体１の裏面には該取付溝に挿入する取付ロッドとストッパーを設け、取付ロッドを取付溝に挿入してクリップ５を容器本体１に装着させることもできる。この場合、前記開放溝を有する他の携帯用ケース等に容器本体１を装着して携帯することも可能である。
【００２８】
図示の実施例において、印面部材４は二次元バーコード用印面部材であり、印液を含浸させて印版体ケース７に装着してある。印版体ケース７の側面には、係合突起７ａを設けてあり、容器本体１に着脱可能に設けてある。
また、印面部材４と印版体ケース７の間に、印液含浸タンク部材を設けた構成にすることも可能である。
【００２９】
図２及び図３に示すように、容器本体１の収容部１２には、印版体ケース７を保持する保持部材１３，１４を上下に設けてあると共に、この保持部材１３，１４には、容器本体１の背面に設けた丸孔１８によって印版体ケース７の係合突起７ａと係合する係合穴１５を形成してある。また、保持部材１４は、中央に間隔をおいて左右に設けてあり、容器本体１の収容部１２から印版体ケース７を取り外すことができるようにしてある。
印版体ケース７を取り外した容器本体１の収容部１２に、ＳＤメモリーカード等の小物を収容して携帯することもできる。
【００３０】
また、容器本体１からクリップ５を取り外すことにより、携帯用容器の厚さを薄くすることができ、封筒に入れて郵送したり、ＣＤケースに入れて保管したりすることも可能である。
【図面の簡単な説明】
【００３１】
【図１】本発明携帯用容器の一実施例を示す断面図。
【図２】その実施例を示す分解斜視図。
【図３】その実施例を示す正面図。
【図４】その実施例を示す背面図。
【図５】その実施例を示すＡ−Ａ線断面図。
【図６】その実施例を示す背面図。
【図７】その実施例の別の態様を示す背面図。
【符号の説明】
【００３２】
１  容器本体
１ａ  突起
２  ヒンジ機構
３  蓋体
３ａ  凹部
３ｂ  フック
４  印面部材
５  クリップ
５ａ  台座
５ｂ  クリップ片
５ｃ  フランジ
５ｄ  切欠部
５ｅ  ストラップ取付用孔
６  カバー体
６ａ  切欠部
７  印版体ケース
７ａ  係合突起
８  ストラップ
１０ａ，１１ａ  留め突起
１０ｂ，１１ｂ  押え突起
１０ｃ，１１ｃ  ストッパー
１２  収容部
１３，１４  保持部材
１５  係合穴
１６，１７  角孔
１８  丸孔
１０１，１０３  壁体
１０２，１０４  フランジ押え部
【図１】
2006007679.tif 000003
【図２】
2006007679.tif 000004
【図３】
2006007679.tif 000005
【図４】
2006007679.tif 000006
【図５】
2006007679.tif 000007
【図６】
2006007679.tif 000008
【図７】
2006007679.tif 000009